(57)【特許請求の範囲】
【請求項１】
開口部を有するハウジングと、前記ハウジングの内底部に設けられた絶縁性を有する基板と、前記基板の上面に配設されたスイッチ部と、前記ハウジングの開口部に対する出没方向へ移動可能であるとともに、押圧操作方向に対して揺動可能に設けられた操作部材とを備え、前記操作部材が所定の操作量だけ押下されることにより前記スイッチ部が作動するプッシュスイッチにおいて、
前記操作部材の内面に回動可能に軸支されるとともに、前記スイッチ部と当接する作用部を有する回動部材と、
前記ハウジング内において、前記回動部材の一部と当接することにより当該回動部材の傾きを規制する傾き規制部とを備え、
前記回動部材は、前記傾き規制部と当接する部位と前記作用部との間において前記操作部材と連結されることを特徴とするプッシュスイッチ。
【請求項２】
請求項１に記載のプッシュスイッチにおいて、前記回動部材は、前記傾き規制部と当接する部位と前記作用部とを結んでなる線分の中央で、前記操作部材と連結されることを特徴とするプッシュスイッチ。
【請求項３】
開口部を有するハウジングと、前記ハウジングの内底部に設けられた絶縁性を有する基板と、前記基板の上面に配設されたスイッチ部と、前記ハウジングの開口部に対する出没方向へ移動可能であるとともに、押圧操作方向に対して揺動可能に設けられた操作部材とを備え、前記操作部材が所定の操作量だけ押下されることにより前記スイッチ部が作動するプッシュスイッチにおいて、
前記ハウジングの側壁内面に一方の端部を回動可能に連結されるとともに、他方の端部には前記スイッチ部と当接する作用部を有する回動部材を備えることを特徴とするプッシュスイッチ。
【請求項４】
請求項１又は請求項２に記載のプッシュスイッチにおいて、前記回動部材の前記傾き規制部と当接する部位は当該回動部材の他の部位に比して幅が広く形成されていることを特徴とするプッシュスイッチ。
【請求項５】
請求項１から請求項４の何れか一項に記載のプッシュスイッチにおいて、前記回動部材は、前記ハウジング内に放射状であって、且つ等間隔に複数配設されることを特徴とするプッシュスイッチ。
【発明の詳細な説明】
【技術分野】
【０００１】
本発明は押圧操作によって作動するプッシュスイッチの構造に関する。
【背景技術】
【０００２】
従来、押圧操作されることによりスイッチがオンして作動するプッシュスイッチとしては、例えば次のような構成がある。すなわち、図７（ａ）に示すように、プッシュスイッチ３０１は、上部が開口した管状のハウジング３１０を備えている。ハウジング３１０の底面には、絶縁性を有する基板３２０が配置されている。また、基板３２０の上面の中央には、可動接点３３３及び固定接点３３１とからなるスイッチ部３３０が設けられている。スイッチ部３３０は、可動接点３３３と固定接点３３１とが接触することによりスイッチがオンの状態となるよう構成されている。また、可動接点３３３は図示しない弾性部材の弾性力により常時上方へ付勢されている。また、ハウジング３１０の上部開口部には、操作部材３４０が上下方向へ移動可能に設けられている。操作部材３４０の裏面の中央であって、可動接点３３３と対向する位置には、作用部３５１が突出形成されている。操作部材３４０は、作用部３５１の先端が可動接点３３３の上面に当接した状態に保持されている。また、操作部材３４０が押圧操作されない通常の状態において操作部材３４０は、前記弾性部材により可動接点３３３及び作用部３５１を介して上方へ押し上げられるとともに、操作部材３４０の上面周縁部３１２がハウジング３１０の内面における開口周縁部３１４に係合した状態に保持される。
【０００３】
このようなプッシュスイッチ３０１において、操作部材３４０の中央が押圧操作された場合、操作部材３４０が沈降するストロークＬ１と同様のストローク分、可動接点３３３も沈降し、可動接点３３３と固定接点３３１とが当接してプッシュスイッチ３０１は作動する。
【発明の開示】
【発明が解決しようとする課題】
【０００４】
ところで、上記従来のプッシュスイッチ３０１において、操作部材３４０の中央から外れた周辺部３４５が押圧操作された場合、図７（ｂ）に示されるように、操作部材３４０は操作方向に対して傾いて沈降する。このため、操作部材３４０の周辺部３４５を押圧操作する場合、中央を押圧操作する場合と同じ操作量ではプッシュスイッチ３０１は作動しない虞があるため、図７（ｃ）に示されるように、操作部材３４０の中央を押圧操作した場合に比して深く押し込む必要があった。
【０００５】
特に、前述のように構成されたプッシュスイッチ３０１を車両の運転席近傍に配置するようにした場合には、運転中はプッシュスイッチ３０１には注意が向けられずに操作されることが多いため、操作部材３４０の周辺部３４５が押されやすい。このため、操作部材３４０の傾きによる弊害は顕著なものであった。
【０００６】
本発明は、上述の問題に鑑みてなされたものであり、その目的は、操作部材の周辺部が押下された場合であってもスイッチ部に対し好適に操作ストロークを与えることができ、確実に作動させることができるプッシュスイッチを提供することにある。
【課題を解決するための手段】
【０００９】
上記課題を解決するために、請求項１に記載の発明は、開口部を有するハウジングと、前記ハウジングの内底部に設けられた絶縁性を有する基板と、前記基板の上面に配設されたスイッチ部と、前記ハウジングの開口部に対する出没方向へ移動可能であるとともに、押圧操作方向に対して揺動可能に設けられた操作部材とを備え、前記操作部材が所定の操作量だけ押下されることにより前記スイッチ部が作動するプッシュスイッチにおいて、前記操作部材の内面に回動可能に軸支されるとともに、前記スイッチ部と当接する作用部を有する回動部材と、前記ハウジング内において、前記回動部材の一部と当接することにより当該回動部材の傾きを規制する傾き規制部とを備え、前記回動部材は、前記傾き規制部と当接する部位と前記作用部との間において前記操作部材と連結されることを要旨とする。
【００１０】
同構成によれば、操作部材の周辺部が押圧操作されると、回動部材が傾き規制部と当接し、回動部材及び操作部材の傾きが規制される。この状態において、作用部は作用点に該当し、回動部材と操作部材との連結された部分は支点に該当し、回動部材と傾き規制部材の当接した部分は力点に該当する。力点と作用点の間に支点がおかれているため、回動部材が傾き規制部と当接した状態で、操作部材の周辺部がさらに押圧操作された場合、回動部材の力点には操作方向と逆向きの操作力が加わる。その結果、回動部材は支点である操作部材と連結された部分を中心に回動し、作用点である作用部は操作部材の押圧操作方向へ変位する。このため、操作部材の周辺部を操作した場合であっても、作用部を操作方向へ変位させることができる。また、操作部材の中央部と周辺部における押圧操作量の差を小さくすることができる。また、操作部材の中央部と周辺部における押圧操作力の差を小さくすることができる。従って、スイッチ部に対して好適に操作ストロークを与えることができ、プッシュスイッチを確実に作動させることができる。
【００１１】
上記課題を解決するために、請求項２に記載の発明は、請求項１に記載のプッシュスイッチにおいて、前記回動部材は、前記傾き規制部と当接する部位と前記作用部とを結んでなる線分の中央で、前記操作部材と連結されることを要旨とする。
【００１２】
同構成によれば、作用点から支点への距離と、力点から支点への距離が略同一になるため、操作部材の周辺部を操作した場合であっても、中央部を押圧操作した場合と同程度の操作荷重でプッシュスイッチを作動させることができる。そのため、操作部材のどの箇所を押圧しても同じ程度のクリック感を得ることができるため、プッシュスイッチの操作性が向上する。
【００１３】
上記課題を解決するために、請求項３に記載の発明は、開口部を有するハウジングと、前記ハウジングの内底部に設けられた絶縁性を有する基板と、前記基板の上面に配設されたスイッチ部と、前記ハウジングの開口部に対する出没方向へ移動可能であるとともに、押圧操作方向に対して揺動可能に設けられた操作部材とを備え、前記操作部材が所定の操作量だけ押下されることにより前記スイッチ部が作動するプッシュスイッチにおいて、前記ハウジングの側壁内面に一方の端部を回動可能に連結されるとともに、他方の端部には前記スイッチ部と当接する作用部を有する回動部材を備えることを要旨とする。
【００１４】
同構成によれば、操作部材の周辺部が押圧操作された場合、操作部材が回動部材と当接する。そして、操作部材を介して回動部材に与えられた操作力により、回動部材は一方の端部を中心として回動し、作用部は操作部材の押圧操作方向へ変位する。このため、操作部材の周辺部を操作した場合であっても、作用部を操作方向へ変位させることができる。また、操作部材の中央部と周辺部における押圧操作量の差を小さくすることができる。また、操作部材の中央部と周辺部における押圧操作力の差を小さくすることができる。従って、スイッチ部に対して好適に操作ストロークを与えることができ、プッシュスイッチを確実に作動させることができる。
【００１５】
上記課題を解決するために、請求項４に記載の発明は、請求項１又は請求項２に記載のプッシュスイッチにおいて、前記回動部材の前記傾き規制部と当接する部位は当該回動部材の他の部位に比して幅が広く形成されていることを要旨とする。
【００１６】
同構成によれば、操作部材の周辺部を押圧操作した場合に操作部材と回動部材が当接しやすいため、操作部材を介して回動部材に対し操作力を伝えやすくなる。そのため、プッシュスイッチの操作性が向上する。
【００１７】
上記課題を解決するために、請求項５に記載の発明は、請求項１から請求項４の何れか一項に記載のプッシュスイッチにおいて、前記回動部材は、前記ハウジング内に放射状であって、且つ等間隔に複数配設されることを要旨とする。
【００１８】
同構成によれば、回動部材がハウジング内において均等に配置されるため、操作部材のどの部分を押圧操作しても、回動部材が回動して作用部が操作方向に変位するように操作力を伝えやすくなり、プッシュスイッチの操作性が向上する。
【発明の効果】
【００１９】
本発明のプッシュスイッチは、操作部材の周辺部が押下された場合であってもスイッチ部に対し好適に操作ストロークが与えられるため、スイッチ部を確実に作動させることができる。
【発明を実施するための最良の形態】
【００２０】
本発明に係るプッシュスイッチの具体的な構成を、図を参照して説明する。図１は、プッシュスイッチの正面断面図であり、図２は、図１のＡ−Ａでのプッシュスイッチの断面図である。なお、本実施形態において、「上」「下」「左」「右」は、各図に示す矢印Ｚ１の方向を上下方向とし、矢印Ｚ２の方向を左右方向とする。
【００２１】
図１、図２に示すように、プッシュスイッチ１は、上部が開口した有底円管状のハウジング１０を有しており、当該ハウジング１０は略円形状の底壁１１と、その周辺に立設された側壁１２と、側壁１２の上縁に底壁１１と対向するように設けられるとともに、中央に円形状の開口部１３が形成された円形状の頂壁１４とから構成されている。
【００２２】
また、ハウジング１０の側壁１２の内周面１２ａには、複数の傾き規制部６０が設けられている。また、傾き規制部６０は、内周面１２ａの周方向において所定間隔ごとに配置されているとともに、ハウジング１０の底壁１１と略平行となる態様で延設された水平部６０ａと、水平部６０ａの先端上面から略垂直に立設された垂直部６０ｂとを有している。
【００２３】
底壁１１の上面には、当該底壁１１の表面積と略同一の大きさに形成された円形状の基板２０が設けられている。当該基板２０は絶縁性を有する素材により形成されている。
基板２０の上面であって、その略中央には、スイッチ部３０が設けられている。当該スイッチ部３０は、直方体状をなすとともに、上面中央に開口部３２ａが形成されたケース３２を備えている。ケース３２の内底面には、２つの固定接点３１ａ及び３１ｂが間隔を開けて設けられている。また、固定接点３１ａ、３１ｂは図示しない接続端子を介して基板２０に接続されている。ケース３２の開口部３２ａには、可動接点３３が出没方向（上下方向）へ移動可能に設けられており、可動接点３３は図示しない弾性部材によって上向きに支持されている。当該可動接点３３と固定接点３１ａ、３１ｂとは各々対向しており、可動接点３３の左右方向における幅は、固定接点３１ａと固定接点３１ｂとの間隔よりも幅広に形成されている。
【００２４】
そして、可動接点３３は、図１において破線で示すＰ１の位置と破線で示すＰ２の位置との間を移動する。Ｐ１は、操作力が加えられておらず、固定接点３１ａ、３１ｂと離間している場合の可動接点３３の上面の位置であるとともに、Ｐ２は、操作力が加えられることにより前記弾性部材の弾性力に抗して下方へ移動し、固定接点３１ａ、３１ｂの上面と当接する場合の可動接点３３の上面の位置である。
【００２５】
また、ハウジング１０内の上部には、ハウジング１０の開口部１３を内側から覆う態様で操作部材としてのプッシュボタン４０が設けられている。当該プッシュボタン４０は、下部が開口した円管状の管部４１を備えているとともに、当該管部４１の開口周縁部には、フランジ部４２が形成されている。フランジ部４２の上面は、ハウジング１０の頂壁１４内面に係合可能とされており、これによりプッシュボタン４０がハウジング１０から外れないようになっている。
【００２６】
また、管部４１の内底面における中央には、可動接点３３の上面中央と当接する突部４３が設けられている。そして、プッシュボタン４０は、可動接点３３及び突部４３を介して、スイッチ部３０内の弾性体の弾性力により上方へ若干付勢されている。プッシュボタン４０の上方への移動は、フランジ部４２の上面が頂壁１４の内面に係合することにより規制される。また、プッシュボタン４０は、突部４３を支点として、ハウジング１０の内方へ揺動可能に支持されている。また、プッシュボタン４０の下面４０ａにあって、突部４３の周囲には、６つの支持部４４が同一円状に位置するように、かつ等間隔で設けられている。
【００２７】
図１、図２に示すように、プッシュボタン４０とスイッチ部３０との間には、６つの回動部材５０が放射状であって、かつ等間隔に配設されている。当該回動部材５０はハウジング１０の半径方向に延びる板状に形成されるとともに、ハウジング１０の中央側から側壁１２側に向かうにつれて幅が広くなるよう形成されている。また、回動部材５０は、第１板部５０ａ、第２板部５０ｂ、及びそれらを連結する連結部５０ｃから断面クランク状をなす板状に形成されている。回動部材５０の第１板部５０ａの先端下面には、作用部５１が突設されている。
【００２８】
また、回動部材５０の長手方向における中央であって、第２板部５０ｂの上面には１対の被支持部５２が延設されている。より具体的には、回動部材５０の長手方向に延びる中心軸上において、作用部５１の中心と被支持部５２間の中心との距離と、被支持部５２間の中心と第２板部５０ｂの連結部５０ｃと反対側の端部との距離とが略同一となるよう、被支持部５２は配置されている。そして、被支持部５２は、プッシュボタン４０の支持部４４に回動軸５２ａを介して回動可能に連結されている。
【００２９】
この状態において、作用部５１の先端は可動接点３３の上面における突部４３の周囲に当接している。また、第１板部５０ａの上面はプッシュボタン４０の下面４０ａと当接しているとともに、第２板部５０ｂの上面はプッシュボタン４０の下面４０ａと離間している。また、第２板部５０ｂの連結部５０ｃとは反対側の端部は、傾き規制部６０の垂直部６０ｂと対向している。すなわち、第２板部５０ｂの下面と垂直部６０ｂの先端とが距離Ｌ１だけ離間するように回動部材５０は設けられている。そして、回動部材５０の第２板部５０ｂは距離Ｌ１だけ下降した際に、垂直部６０ｂの先端に当接可能とされている。
【００３０】
次に、前述のように構成された本実施形態のプッシュスイッチ１の作用について説明する。
図１に示すように、プッシュボタン４０の突部４３が形成されている中央付近を押圧操作した場合、プッシュボタン４０は操作方向に対し傾かずに下降する。そのため、可動接点３３には、突部４３及び作用部５１から均等に力が加えられ、プッシュボタン４０が距離Ｌ１だけ下降した場合、可動接点３３も距離Ｌ１だけ下降する。従って、可動接点３３は固定接点３１ａ及び３１ｂと当接してプッシュスイッチ１は正常に作動する。
【００３１】
一方、図３（ａ）に示すように、プッシュボタン４０の図における右側の周辺部４５が押圧操作された場合、プッシュボタン４０は右側に傾く態様で下降するとともに、回動部材５０はプッシュボタン４０とともに作用部５１を支点として傾く。そして、第２板部５０ｂの連結部５０ｃとは反対側の端部が距離Ｌ１分、下降するまでプッシュボタン４０が押圧操作されると、回動部材５０は傾き規制部６０の垂直部６０ｂと当接する。一方、回動部材５０の作用部５１は、回動部材５０が右側に傾いて下降したため、距離ΔＬ１（０＜Δ＜１）しか下降しておらず、可動接点３３が下降した距離も距離ΔＬ１である。そのため、この状態においては、可動接点３３は固定接点３１と接触しておらず、プッシュスイッチは作動していない。
【００３２】
そして、この状態からプッシュボタン４０の図における右側の周辺部４５がさらに押圧操作されると、図３（ｂ）に示すように、第２板部５０ｂの連結部５０ｃとは反対側の端部が傾き規制部６０の垂直部６０ｂと当接部５４において当接しているため、梃子の原理により被支持部５２を支点として回動部材５０は回動する。そして、回動部材５０の作用部５１が距離（１−Δ）Ｌ１分だけ下降すると、可動接点３３も同様に距離（１−Δ）Ｌ１分下降する。つまり、この時点で可動接点３３に対し、ΔＬ１＋（１−Δ）Ｌ１＝Ｌ１の距離の操作ストロークが加えられたこととなり、可動接点３３は固定接点３１と接触して、プッシュスイッチ１は作動する。また、被支持部５２は回動部材５０の長手方向における中央に設けられているため、操作荷重もプッシュボタン４０の中央を押圧操作した場合と略同一の荷重となる。
【００３３】
以上に説明した本実施形態のプッシュスイッチ１の効果を以下に述べる。
（１）本実施形態のプッシュスイッチ１は、ハウジング１０内において、第２板部５０ｂの連結部５０ｃとは反対側の端部と移動方向において対向する位置に回動部材５０と当接することにより当該回動部材５０の傾きを規制する傾き規制部６０を備えている。そのため、プッシュボタン４０の周辺部４５が押圧操作されると、回動部材５０が傾き規制部６０と当接し、回動部材５０及びプッシュボタン４０の傾きが規制される。従って、プッシュボタン４０に加えられた操作力が、回動部材５０及びプッシュボタン４０を傾かせるだけではなく、作用部５１や突部４３を下降させるために用いられる。その結果、プッシュボタン４０の周辺部４５が押圧された場合であっても、可動接点３３に対し好適に操作ストロークを伝播することができ、確実に可動接点３３と固定接点３１とを接触させることができプッシュスイッチ１を作動させることができる。そして、プッシュボタン４０の中央部が押圧操作された場合と、周辺部４５が押圧操作された場合の操作量の差が小さくなり、プッシュスイッチ１の操作性が向上する。
【００３４】
（２）回動部材５０は、回動部材５０の傾き規制部６０との当接箇所である当接部５４と作用部５１との間でとプッシュボタン４０と連結されることとした。作用部５１が作用点に該当し、被支持部５２が支点に該当し、当接部５４が力点に該当する。力点と作用点の間に支点がおかれているため、回動部材５０が傾き規制部６０と当接すると、プッシュボタン４０の周辺部４５を押圧操作した場合、回動部材５０は力点である当接部５４から操作方向と逆向きの操作力が加わる。そして、当該操作力は支点である回動軸５２ａを中心に回動部材５０を回動させ、作用点である作用部５１を操作方向へ下降させる。従って、プッシュボタン４０の周辺部４５を操作した場合であっても、作用部５１を下降させる操作力を好適に与えることができる。その結果、プッシュボタン４０の中央部が押圧操作された場合と、周辺部４５が押圧操作された場合の操作力の差が小さくなり、プッシュスイッチ１の操作性が向上する。
【００３５】
（３）回動部材５０と傾き規制部６０とが当接する部分と作用部５１とを結んでなる線分の中央で、回動部材５０はプッシュボタン４０と連結されることとした。作用点から支点への距離と、力点から支点への距離が略同一になるため、プッシュボタン４０の周辺部４５を操作した場合であっても、中央部を押圧操作した場合と同程度の操作荷重でプッシュスイッチ１を作動させることができる。そのため、プッシュボタン４０のどの箇所を押圧しても同じ程度のクリック感を得ることができるため、プッシュスイッチ１の操作性が向上する。
【００３６】
（４）回動部材５０は、第２板部５０ｂの連結部５０ｃとは反対側の端部を第１板部５０ａの中央側の端部に比べ幅が広く形成することとした。そのため、プッシュボタン４０の周辺部４５を押した場合に、プッシュボタン４０を介して回動部材５０に対し操作力を伝えやすくなる。そのため、プッシュスイッチ１の操作性が更に向上する。
【００３７】
（５）回動部材５０を、ハウジング１０内において、放射状であって、且つ隣り合う回動部材５０との間隔が夫々同一となるよう複数配置することとした。従って、複数の回動部材５０がハウジング１０内の周方向において均等に配置されるため、プッシュボタン４０のどの部分を押圧操作しても、回動部材５０が回動して作用部５１が下降するように操作力を伝えやすくなり、プッシュスイッチ１の操作性が向上する。
【００３８】
なお、本実施形態の構成は以下のように変更することもできる。
・本実施形態において、回動部材５０の形状は側壁側の端部が中央側の端部に比べ幅広になる形状をしているが形状はこれに限定されず、例えば同一幅の長方形状でもよい。
【００３９】
・また、本実施形態においてプッシュスイッチは平面視円形状のものを示したが、形状はこれに限定されず、例えば、図４に示すような平面視長方形状のものであってもよい。この場合であっても、図４に示すように、ハウジング１１０内に複数（２個）の回動部材１５０を均等に配置することにより、（１）〜（５）に準ずる効果を奏することができる。なお、図４で示したような回動部材１５０の配置の態様も、本発明の請求項６で示した、放射状であって、且つ等間隔になるような配置の態様に含まれる。
【００４０】
・被支持部５２を作用部５１と、当接部５４との略中央に設ける構成を示したが、位置はこれには限定されず、例えば図５に示すように変更してもよい。すなわち、図５に示すように、力点である当接部５４から支点となる被支持部５２への距離が、作用点である作用部５１から被支持部５２への距離よりも短くなるようにする。
【００４１】
・図６に示すように、プッシュスイッチ２０１は、ハウジング２１０の側壁２１２の内周面２１２ａに支持部２４３が設けられるとともに、回動部材２５０の側壁２１２側の端部に被支持部２５２が設けられ、支持部２４３と被支持部２５２が回動軸２５２ａを介して連結される構成としてもよい。この場合、プッシュボタン２４０には、回動部材２５０と当接して回動部材２５０に操作力を伝達する周辺突部２４６が設けられている。そして、このようなプッシュスイッチ２０１において、プッシュボタン２４０の周辺部２４５が押圧操作された場合、周辺突部２４６が回動部材２５０と当接し、回動部材２５０は回動軸２５２ａを中心に、操作方向に回動する。従って、作用部２５１は好適に可動接点２３３を下降させることができる。その結果、この場合であっても、上述の（１）及び（２）に準ずる効果を奏することができる。なお、力点である周辺突部２４６は、作用点である作用部２５１と支点である被支持部２５２との間の中央付近に当接するように配設するのが好ましい。
【００４２】
・回動部材５０から傾き規制部６０の垂直部６０ｂの上端への距離がＬ１である構成を示したが、この距離は変更してもよい。例えば、回動部材５０から傾き規制部６０の垂直部６０ｂの上端への距離をＬ１よりも小さくしてもよい。この場合、回動部材５０の当接部５４は、本実施形態に比してより早く傾き規制部６０に当接するため、回動部材５０はより早く回動を開始する。そのため、プッシュボタン４０の周辺部４５に対し操作力が加えられた場合に、プッシュボタン４０が傾いて傾斜するために発生する作用部５１に対する操作ストロークのロスが少なくなり、プッシュスイッチの操作性がより好適なものとなる。この場合、回動部材５０が傾き規制部６０と当接するまでの移動距離と、当接後に回動部材５０が回動可能な移動距離とを加算した距離がＬ１より短くならないようにする。
【００４３】
・プッシュスイッチ１から回動部材５０を除いた構成にしてもよい。この場合であっても、プッシュボタン４０の周辺部４５が押圧操作されると、プッシュボタン４０の傾きは傾き規制部６０により規制される。そのため、規制された状態で、押圧操作する箇所をプッシュボタン４０の中央側にずらせば作用部５１を下降させることができ、プッシュスイッチ１を作動させることができる。
【００４４】
・回動部材５０の数を、例えば１個にしてもよい。この場合であっても、回動部材５０と対向する位置のプッシュボタン４０の周辺部が押圧操作された場合、（１）〜（４）と同様の効果を奏することができる。
【図面の簡単な説明】
【００４５】
【図１】本実施形態のプッシュスイッチの図２におけるＢ−Ｂ断面図。
【図２】同じくプッシュスイッチの図１におけるＡ−Ａ断面図。
【図３】（ａ）、（ｂ）は同じくプッシュスイッチの動作図。
【図４】別の実施形態の平面視長方形状のプッシュスイッチの断面図。
【図５】別の実施形態のプッシュスイッチの断面図。
【図６】別の実施形態のプッシュスイッチの断面図。
【図７】（ａ）（ｂ）（ｃ）は、従来のプッシュスイッチの動作図。
【符号の説明】
【００４６】
Ｌ１…距離、１０…ハウジング、１１…底壁、１２…側壁、２０…基板、３０…スイッチ部、３１ａ，３１ｂ…固定接点、３３…可動接点、４０…プッシュボタン、４４…支持部、４５…周辺部、５０…回動部材、５１…作用部、５２ａ…回動軸、６０…傾き規制部。
【図１】
0004584138.tif 000002
【図２】
0004584138.tif 000003
【図３】
0004584138.tif 000004
【図４】
0004584138.tif 000005
【図５】
0004584138.tif 000006
【図６】
0004584138.tif 000007
【図７】
0004584138.tif 000008